(57)【要約】【課題】映像信号の品質に変化が生じた場合でも、画質が安定した画像を定常的に取り込むことを課題とする。【解決手段】画像キャプチャ装置を搭載した車載テレビ装置１０は、適正同期間隔テーブル１３ａに基づいてアナログ映像信号に含まれる垂直同期信号（Vsync）の同期間隔が適正範囲を超えたか否か、および受信電波強度（Ｓレベル）が閾値以上であるか否かをもとに、取込対象となる画像の画質が安定しているか否かを評価する信号品質評価部１８ａと、信号品質評価部１８ａによって取込対象となる画像の画質が安定していないと評価された場合に、画像データの書込処理を規制する動作内容決定部１８ｂとを備える。【選択図】        図１
2005268905.tif 000002
【特許請求の範囲】
【請求項１】
映像信号をもとに得られたデジタル信号からなる画像データの書込処理を行って画像を取り込む画像キャプチャ装置であって、
前記映像信号の品質を評価する信号品質評価手段と、
前記信号品質評価手段による評価結果をもとに、前記画像データの書込処理の動作内容を決定する動作内容決定手段と、
を備えたことを特徴とする画像キャプチャ装置。
【請求項２】
前記信号品質評価手段は、
前記映像信号に含まれる同期信号の同期間隔を検出する同期間隔検出手段と、
前記同期間隔検出手段によって検出された同期信号の同期間隔が適正範囲を超えたか否かを判定する同期間隔可否判定手段と、をさらに備え、
前記動作内容決定手段は、前記同期間隔可否判定手段によって同期信号の同期間隔が適正範囲を超えたと判定された場合に、前記画像データの書込処理の動作を規制することを特徴とする請求項１に記載の画像キャプチャ装置。
【請求項３】
前記映像信号は、外部より受信されるものであって、
前記信号品質評価手段は、
前記映像信号の受信電波強度を検出する受信電波強度検出手段と、
前記受信電波強度検出手段によって検出された受信電波強度が閾値以上であるか否かを判定する電波強度可否判定手段と、をさらに備え、
前記動作内容決定手段は、前記電波強度可否判定手段によって受信電波強度が閾値に満たないと判定された場合に、前記画像データの書込処理の動作を規制することを特徴とする請求項１に記載の画像キャプチャ装置。
【請求項４】
取込対象となる画像は、前記デジタル信号からなる画像データをもとに提示されるものであって、
前記信号品質評価手段による評価結果をもとに、前記取込対象となる画像の提示状態から離脱するように制御する提示状態離脱制御手段とをさらに備えたことを特徴とする請求項１、２または３に記載の画像キャプチャ装置。
【請求項５】
前記信号品質評価手段による評価結果をもとに、前記取込対象となる画像の提示状態への移行を規制するように制御する提示状態移行規制制御手段をさらに備えたことを特徴とする請求項１〜４のいずれか一つに記載の画像キャプチャ装置。
【請求項６】
前記動作内容決定手段は、前記信号品質評価手段による評価結果をもとに、前記画像データの書込処理を連続して行うように制御することを特徴とする請求項１〜５のいずれか一つに記載の画像キャプチャ装置。
【発明の詳細な説明】
【技術分野】
【０００１】
本発明は、映像信号をもとに得られたデジタル信号からなる画像データの書込処理を行って画像を取り込む画像キャプチャ装置に関し、特に、映像信号の品質に変化が生じた場合でも、画質が安定した画像を定常的に取り込むことができる画像キャプチャ装置に関するものである。
【背景技術】
【０００２】
従来より、地上波（ＴＶ電波）やビデオカメラなどから取得した映像信号をコンピュータ等にデジタル画像として取り込む画像キャプチャ装置が知られている（特許文献１参照）。具体的には、かかる画像キャプチャ装置は、アナログ映像信号（コンポジット信号やＳ−ビデオ信号）をデジタル信号（ＹＵＶ）に変換し、該変換されたデジタル信号（ＹＵＶ）をＭＰＥＧ２ストリームに変換することによって画像データを圧縮して画像メモリやハードディスク（ＨＤＤ）に書き込むものである。
【０００３】
また、近年では、車両に搭載される電子機器が多様化し、車載のテレビ装置が実現されるとともに、かかる車載テレビ装置にＰＣ（パーソナルコンピュータ）などで利用されている様々な機能が付加され、上記の画像キャプチャ装置なども搭載されるに至っている。
【０００４】
【特許文献１】特開２００１−１６９２４４号公報
【発明の開示】
【発明が解決しようとする課題】
【０００５】
しかしながら、上記の従来技術は、一定の条件下で供給される映像信号から画一的に画像を取り込むことを想定したものに過ぎず、映像信号の品質に変化が生じた場合、画質劣化が著しい画像をも取り込んでしまうという問題点があった。
【０００６】
例えば、車両などに搭載されたテレビ装置により入力された映像信号から画像を取り込む場合、車両の走行に起因して生じる機器の振動や車両の走行状況の変化に伴う受信状況の変化により、同期信号が乱れ、受信電波強度が低下した映像信号から画像を取り込むこととなり、画質劣化が著しい画像をも取り込んでしまう。また、かかる同期信号の乱れは、処理負荷を増大させる要因となり、ＶＤＰ（ビデオプロセッサ）の規模および性能によっては、制御不能状態にまで陥れるものであるため、映像信号の取り扱う上で大きな懸念事項であった。
【０００７】
そこで、本発明は、上述した従来技術による問題点を解消するためになされたものであり、映像信号の品質に変化が生じた場合でも、画質が安定した画像を定常的に取り込むことができる画像キャプチャ装置を提供することを目的とする。
【課題を解決するための手段】
【０００８】
上述した課題を解決し、目的を達成するために、請求項１の発明に係る画像キャプチャ装置は、映像信号をもとに得られたデジタル信号からなる画像データの書込処理を行って画像を取り込む画像キャプチャ装置であって、前記映像信号の品質を評価する信号品質評価手段と、前記信号品質評価手段による評価結果をもとに、前記画像データの書込処理の動作内容を決定する動作内容決定手段と、を備えたことを特徴とする。
【０００９】
また、請求項２の発明に係る画像キャプチャ装置は、請求項１の発明において、前記信号品質評価手段は、前記映像信号に含まれる同期信号の同期間隔を検出する同期間隔検出手段と、前記同期間隔検出手段によって検出された同期信号の同期間隔が適正範囲を超えたか否かを判定する同期間隔可否判定手段と、をさらに備え、前記動作内容決定手段は、前記同期間隔可否判定手段によって同期信号の同期間隔が適正範囲を超えたと判定された場合に、前記画像データの書込処理の動作を規制することを特徴とする。
【００１０】
また、請求項３の発明に係る画像キャプチャ装置は、請求項１の発明において、前記映像信号は、外部より受信されるものであって、前記信号品質評価手段は、前記映像信号の受信電波強度を検出する受信電波強度検出手段と、前記受信電波強度検出手段によって検出された受信電波強度が閾値以上であるか否かを判定する電波強度可否判定手段と、をさらに備え、前記動作内容決定手段は、前記電波強度可否判定手段によって受信電波強度が閾値に満たないと判定された場合に、前記画像データの書込処理の動作を規制することを特徴とする。
【００１１】
また、請求項４の発明に係る画像キャプチャ装置は、請求項１、２または３の発明において、取込対象となる画像は、前記デジタル信号からなる画像データをもとに提示されるものであって、前記信号品質評価手段による評価結果をもとに、前記取込対象となる画像の提示状態から離脱するように制御する提示状態離脱制御手段とをさらに備えたことを特徴とする。
【００１２】
また、請求項５の発明に係る画像キャプチャ装置は、請求項１〜４のいずれか一つの発明において、前記信号品質評価手段による評価結果をもとに、前記取込対象となる画像の提示状態への移行を規制するように制御する提示状態移行規制制御手段をさらに備えたことを特徴とする。
【００１３】
また、請求項６の発明に係る画像キャプチャ装置は、請求項１〜５のいずれか一つの発明において、前記動作内容決定手段は、前記信号品質評価手段による評価結果をもとに、前記画像データの書込処理を連続して行うように制御することを特徴とする。
【発明の効果】
【００１４】
本発明によれば、映像信号の品質を評価し、評価結果をもとに、画像データの書込処理の動作内容を決定することとしたので、映像信号の品質に変化が生じた場合でも、画質が安定した画像を定常的に取り込むことが可能な画像キャプチャ装置が得られるという効果を奏する。
【００１５】
また、本発明によれば、映像信号に含まれる同期信号の同期間隔を検出し、検出された同期信号の同期間隔が適正範囲を超えたか否かを判定し、同期信号の同期間隔が適正範囲を超えたと判定された場合に、画像データの書込処理の動作を規制することとしたので、画質劣化が著しい画像を取り込むことを防止することが可能な画像キャプチャ装置が得られるという効果を奏する。さらに、これに関連して、同期信号の同期間隔が適正範囲を超えた場合に、画像データの書込処理を規制することで、同期信号の乱れに起因する処理負荷の増大および制御不能状態を回避することが可能になる。
【００１６】
また、本発明によれば、映像信号の受信電波強度を検出し、検出された受信電波強度が閾値以上であるか否かを判定し、受信電波強度が閾値に満たないと判定された場合に、画像データの書込処理の動作を規制することとしたので、画質劣化が著しい画像を取り込むことを防止することが可能な画像キャプチャ装置が得られるという効果を奏する。
【００１７】
また、本発明によれば、評価結果をもとに、取込対象となる画像の提示状態から離脱するように制御することとしたので、画質劣化が著しい画像を取り込むことを確実に防止することが可能な画像キャプチャ装置が得られるという効果を奏する。
【００１８】
また、本発明によれば、評価結果をもとに、取込対象となる画像の提示状態への移行を規制するように制御することとしたので、「キャプチャ」をおこなう処理段階への移行を阻止することができ、画質劣化が著しい画像を取り込むことを完全に防止することが可能な画像キャプチャ装置が得られるという効果を奏する。
【００１９】
また、本発明によれば、評価結果をもとに、画像データの書込処理を連続して行うように制御することとしたので、映像信号の品質に変化がある場合でも、画質の安定した画像を利用者に選択させることが可能な画像キャプチャ装置が得られるという効果を奏する。
【発明を実施するための最良の形態】
【００２０】
以下に添付図面を参照して、本発明に係る画像キャプチャ装置を車載テレビ装置に適用した場合の好適な実施例を詳細に説明する。なお、以下では、本発明に係る画像キャプチャ装置の概要および特徴を説明した後に、本実施例１に係る画像キャプチャ装置を説明し、最後に、他の実施例として種々の変形例（実施例２）を説明することとする。なお、本実施例１に係る車載テレビ装置では、ＴＶチューナとしてアナログＴＶチューナを具備することとする。
【００２１】
（概要および特徴）
まず最初に、本発明に係る画像キャプチャ装置の概要および特徴を説明する。図１は、本実施例１に係る車載テレビ装置の構成を示すブロック図である。同図に示す車載テレビ装置１０は、大別して、利用者に対してテレビ放送を提供する「ベースモード（基本出力形態）」と、利用者からの指示を受けて取込対象となる画像を提示する「キャプチャモード（取込対象画像提示形態）」との二形態の出力形態を備える。
【００２２】
このように、「ベースモード」の出力形態とは、別に、「キャプチャモード」の出力形態を採用する必要性があるのは、映像信号から実際に取り込むことができる画像を利用者に把握させるためである。
【００２３】
すなわち、「キャプチャモード」において映像信号（アナログ映像信号）から画像を取り込もうとした場合に取込対象となり得る画像のフレーム数と、アナログ映像信号のまま出力制御が行われる「ベースモード」での画像のフレーム数とは、「キャプチャ処理」でアナログ映像信号がデジタル信号に変換されることに起因して相違するためである。
【００２４】
そして、車載テレビ装置１０は、かかる「キャプチャモード」の出力形態の指示を受けた後、「キャプチャ」指示を受けて、映像信号（アナログ映像信号）をもとに得られたデジタル信号からなる画像データの書込処理を行って画像を取り込む
【００２５】
ここで、本発明に係る車載テレビ装置１０は、映像信号の品質を評価し、該評価結果をもとに、画像データの書込処理の動作内容を決定する点に主たる特徴があり、これによって、映像信号の品質に変化が生じた場合でも、画質が安定した画像を定常的に取り込むことができるようにしている。
【００２６】
これを具体的に説明すると、この車載テレビ装置１０は、アナログ映像信号に含まれる同期信号の同期間隔が適正範囲を超えたか否か、およびアナログ映像信号の受信電波強度が閾値以上であるか否かで取込対象となる画像の画質が安定しているか否かを評価する。そして、取込対象となる画像の画質が安定していないと評価した場合に、画像データの書込処理の禁止を決定し、「キャプチャモード」から離脱する。
【００２７】
このように、映像信号の品質を評価し、該評価結果をもとに、画像データの書込処理の動作内容を決定することにより、上記した主たる特徴のように、映像信号の品質に変化が生じた場合でも、画質が安定した画像を定常的に取り込むことが可能になる。
【実施例１】
【００２８】
次に、本実施例１に係る画像キャプチャ装置について説明する。図１は、本実施例１に係る車載テレビ装置の構成を示すブロック図である。この車載テレビ装置１０は、同図に示すように、入力部１１、出力部１２、メモリ１３、ＴＶチューナ１４、ＮＴＳＣエンコーダ１５、出力制御部１６、ＶＤＰ１７およびＣＰＵ１８を有する。
【００２９】
このうち、入力部１１は、利用者からの入力操作を受け付けるインターフェースであり、例えば、「キャプチャモード」への移行指示や、「キャプチャ」指示を受け付ける。出力部１２は、液晶パネルやディスプレイなどの表示デバイスであり、「ベースモード」では、テレビ放送を、「キャプチャモード」への移行した場合には、取込対象となる画像を表示する。
【００３０】
メモリ１３は、ＶＤＰ１７およびＣＰＵ１８による各種処理に必要なデータおよびプログラムを格納する格納手段（記憶手段）であり、機能概念的に、適正同期間隔テーブル１３ａを備える。
【００３１】
この適正同期間隔テーブル１３ａは、映像信号に含まれる垂直同期信号（Vsync）の同期間隔の適正範囲を記憶するテーブルである。具体的には、図２−１に示すように、垂直同期信号（Vsync）の同期間隔の適正範囲と、画像データの書込処理の動作内容を対応付けて記憶している。
【００３２】
ここで、出力形態ごとの各処理部における概略的なデータの流れを説明する。まず、「ベースモード」では、ＴＶチューナ１４は、アンテナ１から受信した電波から所望の周波数のアナログ映像信号（コンポジットビデオ信号）を検波する。なお、この時、アンテナ１から受信した電波の強度（受信レベル「Ｓレベル」）は、ＣＰＵ１８に出力されることとなる。
【００３３】
続いて、ＶＤＰ（ビデオプロセッサ）１７は、ＴＶチューナ１４によって検波されたコンポジットビデオ信号を画像信号（Ｙ信号（輝度信号）およびＣ信号（色信号））と同期信号（垂直同期信号および水平同期信号）にそれぞれ分離して出力制御部１６に出力するとともに、かかる同期信号のうち「垂直同期信号」の同期間隔を検出し、該検出された「垂直同期信号」の同期間隔をＣＰＵ１８に出力する。そして、出力制御部１６は、この同期信号をもとに、Ｙ信号およびＣ信号に対してＲＧＢ復調を実行して出力部１２に出力（表示）する。
【００３４】
一方、「キャプチャモード」では、ＴＶチューナ１４は、アンテナ１から受信した電波から所望の周波数のアナログ映像信号（コンポジットビデオ信号）を検波する。なお、この時、上記の「ベースモード」と同様に、アンテナ１から受信した電波の強度（受信レベル「Ｓレベル」）は、ＣＰＵ１８に出力されることとなる。
【００３５】
続いて、ＮＴＳＣエンコーダ１５は、ＴＶチューナ１４によって検波されたコンポジットビデオ信号をデジタル信号（ＹＵＶ）からなる画像データに変換し、該変換されたデジタル信号からなる画像データと同期信号（垂直同期信号および水平同期信号）をＶＤＰ１７を介して出力制御部１６に出力する。なお、かかる同期信号のうち「垂直同期信号」の同期間隔を検出し、該検出された「垂直同期信号」の同期間隔をＣＰＵ１８に出力する。そして、出力制御部１６は、この同期信号をもとに、画像データに対してＲＧＢ復調を実行して出力部１２に出力（表示）する。
【００３６】
ＶＤＰ（ビデオプロセッサ）１７は、ＣＰＵ１８の指示に基づいて各機能部間の各種データの授受を司る制御部であり、機能概念的に、書込処理部１７ａを備える。この書込処理部１７ａは、アナログ映像信号（コンポジットビデオ信号）をもとに得られたデジタル信号からなる画像データの書込処理を行う処理部である。具体的には、利用者からの「キャプチャ」指示を入力部１１を介して受け付けた場合に、ＮＴＳＣエンコーダ１５より入力されたデジタル信号（ＹＵＶ）からなる画像データをメモリ１３に書き込むことによって当該画像を取り込む。
【００３７】
ＣＰＵ１８は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、機能概念的に、信号品質評価部１８ａ、動作内容決定部１８ｂ、キャプチャモード制御部１８ｃとを備える。
【００３８】
このうち、信号品質評価部１８ａは、映像信号の品質を評価する処理部である。具体的には、適正同期間隔テーブル１３ａに基づいてアナログ映像信号（コンポジットビデオ信号）に含まれる垂直同期信号（Vsync）の同期間隔が適正範囲を超えたか否か、そして、受信電波強度（Ｓレベル）が閾値以上であるか否かをもとに、映像信号の品質（すなわち、取込対象となる画像の画質が安定しているか否か）を評価する。
【００３９】
このように、垂直同期信号（Vsync）の同期間隔が適正範囲を超えたか否かをもとに映像信号の品質を評価することで、取込対象となる画像の画質の安定度を正確に評価することができる。さらに、受信電波強度（Ｓレベル）が閾値以上であるか否かを加味して映像信号の品質を評価することで、取込対象となる画像の画質の安定度をより正確に評価することができるようにしている。
【００４０】
動作内容決定部１８ｂは、信号品質評価部１８ａによる評価結果をもとに、画像データの書込処理の動作内容を決定する処理部である。具体的には、出力形態が「キャプチャモード」である時に、「キャプチャ」指示を受け付けた場合、信号品質評価部１８ａによって取込対象となる画像の画質が安定していないと評価されたならば、画像をキャプチャすること（画像データの書込処理）を禁止する。
【００４１】
このように、取込対象となる画像の画質が安定していない場合に、画像を「キャプチャ」することを禁止することで、画質劣化が著しい画像を取り込むことを防止することが可能になる。さらに、これに関連して、垂直同期信号（Vsync）の同期間隔が適正範囲を超えた場合に、画像を「キャプチャ」することを禁止することで、同期信号の乱れに起因する処理負荷の増大および制御不能状態を回避することが可能になる。
【００４２】
キャプチャモード制御部１８ｃは、「キャプチャモード」への移行、若しくは「キャプチャモード」からの離脱を制御する処理部である。具体的には、「ベースモード」から「キャプチャモード」への移行指示を受け付けた際に、信号品質評価部１８ａによって取込対象となる画像の画質が安定していないと評価されたならば、「キャプチャモード」への移行を禁止する。このように、取込対象となる画像の画質が安定していない場合に、「キャプチャモード」への移行を禁止することで、「キャプチャ」をおこなう処理段階への移行を阻止することができ、画質劣化が著しい画像を取り込むことを完全に防止することが可能になる。
【００４３】
また、キャプチャモード制御部１８ｃは、出力形態が「キャプチャモード」である時に、「キャプチャ」指示を受け付けた場合、信号品質評価部１８ａによって取込対象となる画像の画質が安定していないと評価されたならば、「キャプチャモード」から離脱して「ベースモード」へ移行する。このように、取込対象となる画像の画質が安定していない場合に、「キャプチャモード」から離脱することで、画質劣化が著しい画像を取り込むことを確実に防止することが可能になる。
【００４４】
次に、本実施例１に係る画像キャプチャ装置の具体的な処理内容について説明する。なお、ここでは、信号品質評価部１８ａによる評価結果をもとに、取込対象となる画像の提示状態への移行を規制する「提示状態規制処理」を説明した後に、信号品質評価部１８ａによる評価結果をもとに、画像データの書込処理の動作内容を決定する「動作内容決定処理」について説明することとする。
【００４５】
（提示状態規制処理）
まず最初に、「提示状態規制処理」について説明する。図４は、本実施例１に係る提示状態規制処理の手順を示すフローチャートである。かかる「提示状態規制処理」は、車載テレビ装置１０の電源が「ＯＮ」状態であり、利用者から入力部１１を介して、「ベースモード」から「キャプチャモード」への移行指示を受け付けた場合（ステップＳ４０１肯定）に、開始されることとなる。
【００４６】
そして、ＴＶチューナ１４は、アンテナ１から受信した電波の強度（受信レベル「Ｓレベル」）をＣＰＵ１８に出力し（ステップＳ４０２）、ＶＤＰ（ビデオプロセッサ）１７は、垂直同期信号（Vsync）の同期間隔を検出し、該検出された垂直同期信号の同期間隔をＣＰＵ１８に出力する（ステップＳ４０３）。
【００４７】
ここで、信号品質評価部１８ａは、適正同期間隔テーブル１３ａに基づいてアナログ映像信号（コンポジットビデオ信号）に含まれる垂直同期信号（Vsync）の同期間隔が適正範囲を超えたか否か、そして、受信電波強度（Ｓレベル）が閾値以上であるか否かをもとに、取込対象となる画像の画質が安定しているか否かを評価する（ステップＳ４０４）。
【００４８】
そして、キャプチャモード制御部１８ｃは、信号品質評価部１８ａによって取得対象となる画像の画質が安定していると評価された場合（ステップＳ４０４肯定）に、「ベースモード」から「キャプチャモード」へ移行するように制御する（ステップＳ４０５）。
【００４９】
一方、キャプチャモード制御部１８ｃは、信号品質評価部１８ａによって取得対象となる画像の画質が安定していないと評価された場合（ステップＳ４０４否定）に、「キャプチャモード」への移行を禁止し、上記のステップＳ４０１〜Ｓ４０４までの処理を回帰的に行うこととなる。
【００５０】
このように、取込対象となる画像の画質が安定していない場合に、「キャプチャモード」への移行を禁止することで、「キャプチャ」をおこなう処理段階への移行を阻止することができ、画質劣化が著しい画像を取り込むことを完全に防止することが可能になる。
【００５１】
（動作内容決定処理）
次に、「動作内容決定処理」について説明する。図５は、本実施例１に係る動作内容決定処理の手順を示すフローチャートである。かかる「動作内容決定処理」は、車載テレビ装置１０の出力形態が「キャプチャモード」である時に、利用者より「キャプチャ」指示を入力部１１を介して受け付けた場合（ステップＳ５０１肯定）に開始されることとなる。
【００５２】
そして、ＴＶチューナ１４は、アンテナ１から受信した電波の強度（受信レベル「Ｓレベル」）をＣＰＵ１８に出力し（ステップＳ５０２）、ＮＴＳＣエンコーダ１５は、垂直同期信号（Vsync）の同期間隔を検出し、該検出された垂直同期信号の同期間隔をＣＰＵ１８に出力する（ステップＳ５０３）。
【００５３】
ここで、信号品質評価部１８ａは、適正同期間隔テーブル１３ａに基づいてアナログ映像信号（コンポジットビデオ信号）に含まれる垂直同期信号（Vsync）の同期間隔が適正範囲を超えたか否か、そして、受信電波強度（Ｓレベル）が閾値以上であるか否かをもとに、取込対象となる画像の画質が安定しているか否かを評価する（ステップＳ５０４）。
【００５４】
そして、動作内容決定部１８ｂは、信号品質評価部１８ａによって取得対象となる画像の画質が安定していると評価された場合（ステップＳ５０４肯定）に、ＶＤＰ１７における書込処理部１７ａに対して「キャプチャ」動作指示を行う（ステップＳ５０５）。
【００５５】
続いて、書込処理部１７ａは、動作内容決定部１８ｂからの「キャプチャ」動作指示を受けて、ＮＴＳＣエンコーダ１５から入力されたデジタル信号からなる画像データの書込処理を行い（ステップＳ５０６）、「キャプチャ」した画像を出力部１２に出力する（ステップＳ５０７）。
【００５６】
一方、信号品質評価部１８ａによって、垂直同期信号（Vsync）の同期間隔が適正範囲を超えた検出回数、および受信電波強度（Ｓレベル）が閾値を満たない検出回数が所定の回数に至り、取得対象となる画像の画質が継続的に安定していないと評価された場合（ステップＳ５０４否定、かつステップＳ５０８肯定）に、動作内容決定部１８ｂは、ＶＤＰ１７における書込処理部１７ａに対して「キャプチャ」動作禁止指示を行う（ステップＳ５０９）。そして、キャプチャモード制御部１８ｃは、「キャプチャモード」から離脱して「ベースモード」へ移行する（ステップＳ５１０）。
【００５７】
上述してきたように、本実施例１に係る画像キャプチャ装置によれば、取込対象となる画像の画質が安定していない場合に、画像を「キャプチャ」することを禁止し、「キャプチャモード」から離脱して「ベースモード」へ移行することとしたので、画質劣化が著しい画像を取り込むことを防止することができ、映像信号の品質に変化が生じた場合でも、画質が安定した画像を定常的に取り込むことが可能になる。さらに、これに関連して、垂直同期信号（Vsync）の同期間隔が適正範囲を超えた場合に、画像を「キャプチャ」することを禁止することにより、同期信号の乱れに起因する処理負荷の増大および制御不能状態を回避することが可能になる。
【実施例２】
【００５８】
さて、これまで本発明の実施例１について説明したが、本発明は上述した実施例以外にも、上記特許請求の範囲に記載した技術的思想の範囲内において種々の異なる実施例にて実施されてもよいものである。
【００５９】
例えば、本発明では、信号品質評価部１８ａによる評価結果をもとに、画像データの書込処理を連続して行うように制御するようにしても良い。具体的には、適正同期間隔の上限および下限近傍（図２−１および図２−２参照）、並びに、受信電波強度の閾値近傍に画像データの書込処理を連続して行う処理区間を設ける。
【００６０】
すなわち、垂直同期信号（Vsync）の同期間隔が「Ｃ〜Ｄ」若しくは「Ｅ〜Ｄ」の区間（図２−２参照）であり、かつ受信電波強度（Ｓレベル）が閾値近傍である場合に、画像データの書込処理を連続して行うように制御する。そして、このようにして「キャプチャ」された画像は、図３に示すような「サムネイル表示」で出力部１２に出力されることとなる。このような条件下で、画像データの書込処理を連続して行うことにより、映像信号の品質に変化がある場合でも、画質の安定した画像を利用者に選択させることが可能になる。
【００６１】
また、本発明では、「キャプチャ」した画像と、該画像が表示されている時のメディア（例えば、テレビの番組情報）、または曲情報（例えば、ラジオ番組、ＣＤまたはＭＤなどの曲情報）とを対応付けて記憶し、「キャプチャ」した画像を表示するとともに、記憶したメディアや音楽を再生するようにしてもよい。このため、「キャプチャ」した画像を壁紙として提供するだけでなく、メディアや音楽などに関連付けられた鑑賞画像として利用者に提供することが可能になる。なお、「キャプチャ」した画像と、メディアまたは曲情報との対応付けは、自動的に行われるようにしても良いし、利用者による入力を受け付けるようにしても良い。
【００６２】
また、本実施例１では、垂直同期信号（Vsync）の同期間隔を検出し、該検出された垂直同期信号（Vsync）の同期間隔が適正範囲を超えたか否かをもとに、取込対象となる画像の画質が安定しているか否かを評価することとしたが、本発明はこれに限定されるものではなく、検出および評価対象が「水平同期信号」であっても良いし、「垂直同期信号」および「水平同期信号」の両方であっても良い。さらに、これに関連して、同期信号の同期区間を検出し、該検出された同期信号の同期区間が適正範囲を超えたか否かをもとに、取込対象となる画像の画質が安定しているか否かを評価するようにしても良い。
【００６３】
また、本実施例１では、外部より受信される映像信号に対して本発明を適用することとしたが、本発明はこれに限定されるものではなく、ビデオやＤＶＤなどの媒体から読み出された映像信号についても同様に適用することができる。
【００６４】
また、本実施例１では、映像信号としてアナログ映像信号が入力されることとしたが、本発明はこれに限定されるものではなく、入力されてくる映像信号がデジタル信号であっても同様に適用することができる。
【００６５】
また、本実施例１では、ＮＴＳＣエンコーダ１５から入力されたデジタル信号からなる画像データをメモリ１３に書き込む場合について説明したが、本発明はこれに限定されるものではなく、ハードディスク（ＨＤＤ）などの二次記憶装置に書き込むようにしても良い。
【００６６】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００６７】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【００６８】
以上のように、本発明に係る画像キャプチャ装置は、映像信号をもとに得られたデジタル信号からなる画像データの書込処理を行って画像を取り込む画像キャプチャ装置に有用であり、特に、映像信号の品質に変化が生じた場合でも、画質が安定した画像を定常的に取り込むことができる画像キャプチャ装置に適している。
【図面の簡単な説明】
【００６９】
【図１】本実施例１に係る車載テレビ装置の構成を示すブロック図である。
【図２−１】適正同期間隔テーブルに記憶される情報の構成例を示す図である。
【図２−２】適正同期間隔テーブルに記憶される情報の構成例を示す図である。
【図３】出力部に表示される画面の構成例を示す図である。
【図４】本実施例１に係る提示状態規制処理の手順を示すフローチャートである。
【図５】本実施例１に係る動作内容決定処理の手順を示すフローチャートである。
【符号の説明】
【００７０】
１    アンテナ
１０    車載テレビ装置
１１    入力部
１２    出力部
１３    メモリ
１３ａ  適正同期間隔テーブル
１４    ＴＶチューナ
１５    ＮＴＳＣエンコーダ
１６    出力制御部
１７    ＶＤＰ（ビデオプロセッサ）
１７ａ  書込処理部
１８    ＣＰＵ
１８ａ  信号品質評価部
１８ｂ  動作内容決定部
１８ｃ  キャプチャモード制御部
【図１】
2005268905.tif 000003
【図２−１】
2005268905.tif 000004
【図２−２】
2005268905.tif 000005
【図３】
2005268905.tif 000006
【図４】
2005268905.tif 000007
【図５】
2005268905.tif 000008